(57)【要約】【課題】  ベルト類に取り付けられた発光体の発光を制御する電子部品の収容部分を、ベルトから出っ張ることがないようにし、装着したときに違和感がなく、かつファッション性にもすぐれたベルト類、及びこれらに使用される電子部品内蔵バックルを提供する。【解決手段】  発光体を取り付けた首輪やベルトのような帯状の物品の両端を連結するバックル１であって、互いに着脱自在な第１連結部材２と第２連結部材３とからなり、第２連結部材３は内部に電子部品を収容できるスペース１３を備え、このスペース１３には、発光制御回路２０ａを搭載した基板２０を収容し、この発光制御回路２０ａによって発光体の点滅点灯を制御する。発光体として、ＬＥＤ、ＥＬワイヤ、ＥＬシートなどを用いる。【選択図】  図１
0003131027.tif 000002
【実用新案登録請求の範囲】
【請求項１】
発光体を取り付けた帯状部材に用いられるバックルであって、互いに着脱自在な第１連結部材と第２連結部材とからなり、前記第２連結部材は中空室を備え、該中空室の内部に、前記発光体の発光を制御する発光制御回路を搭載した基板を収容したことを特徴とする電子部品内蔵バックル。
【請求項２】
樹脂で成形したことを特徴とする請求項１に記載の電子部品内蔵バックル。
【請求項３】
前記発光体は、ＥＬ（エレクトロルミネッセンス）素子であることを特徴とする請求項１に記載の電子部品内蔵バックル。
【請求項４】
前記発光体は、ＬＥＤであることを特徴とする請求項３に記載の電子部品内蔵バックル。
【請求項５】
前記発光体は、ＥＬワイヤであることを特徴とする請求項３に記載の電子部品内蔵バックル。
【請求項６】
前記発光体は、ＥＬシートであることを特徴とする請求項３に記載の電子部品内蔵バックル。
【請求項７】
帯状部材とバックルとからなるペット用の首輪であって、発光体が前記帯状部材に取り付けられているとともに、前記帯状部材の両端部を連結するための前記バックルとして、請求項１〜６のいずれか１に記載の電子部品内蔵バックルが使用されていることを特徴とするペット用発光首輪。
【請求項８】
人体の円筒状部位に巻回して用いられ、あるいはバッグ・靴類に用いられる帯状部材とバックルとからなるベルト状物品であって、発光体が前記帯状部材に取り付けられているとともに、前記帯状部材の両端部を連結するための前記バックルとして、請求項１〜６のいずれか１に記載の電子部品内蔵バックルが使用されていることを特徴とするベルト状発光物品。
【考案の詳細な説明】
【技術分野】
【０００１】
発光体を取り付けたベルト類に用いられるバックルであり、発光体の発光を制御する回路を内部に収容した電子部品内蔵バックル、この電子部品内蔵バックルを使用したベルト状の物品に関する。
【背景技術】
【０００２】
最近のペットブームにより、犬や猫を飼う家庭が増えている。ペットを夕暮れ時や夜間に散歩させる際、交通事故を防ぐための発光する首輪が種々考案され、多数市販されてもいる。特許文献１、特許文献２に開示されている考案もその一つである。
また、ペット用に限らず、夜間などに歩行者や道路作業者などが身体に装着するチョッキなどに発光体を固着する考案も提案されている（例えば、特許文献３）。
【０００３】
【特許文献１】実開平６−５７１５４号公報
【特許文献２】実用新案登録第３１１７１２３号公報
【特許文献３】実開平６−３７８８３号公報
【考案の開示】
【考案が解決しようとする課題】
【０００４】
図９に、従来品のペット用首輪の一例を示す。
首輪１００は、帯状の首輪本体１０１と、首輪本体１０１の両端を連結するバックル１０２からなり、ペットの首１０５に首輪本体１０１を周回させて、バックル１０２で両端を連結して使用する。首輪本体１０１には、外部から見えるようにＬＥＤ（発光ダイオード）１０３が任意個数配置されている。首輪本体１０１の適当な箇所には、ＬＥＤ１０３の電源となる電池とスイッチ、及びＬＥＤ１０３の点滅動作を制御するＩＣとを収容した電池ボックス１０４が固着されている。特許文献１および特許文献２に開示された考案においても、図９の首輪１００と同様に、首輪の表面から電子部品収容部分が張り出している。
【０００５】
しかし、衝撃に弱い電子部品を収容している部分が外部に張り出していることは好ましくない。そのうえ、ペット、特に犬は突然走り出したり、引き綱を引っ張ったりといった激しい動きをすることがあり、このような場合、電池などが脱落する恐れがある。
また、装着しているペットに対し、違和感を与えることも考えられる。さらに、ペットを我が子同様に扱い、ペットにお洒落をさせたがる飼い主にとって、メカ部分が露出している首輪はファッション性に欠けると敬遠されかねない。
【０００６】
一方、特許文献３に開示されている安全表示装置は、ベルト本体に発光体を固着し、ベルト本体の裏面に電源部を取り付けたものである。
このような安全表示装置を長時間装着していると、メカ部分の出っ張りが着用者に不快感を与えるだけではなく、転倒したような場合に危険でもある。また、発光体を備えた用品類をレジャーやスポーツに使用する場合、ファッション性も重要であるが、見栄えがよくない。
【０００７】
以上のような問題点に鑑み、本考案は、装着するペットや人間に違和感・不快感を与えず、かつ、見た目にもすっきりとした発光ベルト類を提供することを目的とする。
【課題を解決するための手段】
【０００８】
前記の目的を達成するために、本考案は、発光体を取り付けた帯状部材に用いられるバックルであって、互いに着脱自在な第１連結部材と第２連結部材とからなり、前記第２連結部材は中空室を備え、該中空室の内部に、前記発光体の発光を制御する発光制御回路を搭載した基板を収容したことを特徴とする。
これにより、本考案のバックルは、従来のバックルと比べ、大きさも厚さも外観も全く異ならない。したがって、身につけたときに違和感を覚えなくてすむ。しかも、基板や電池を格納した部分が外部から見えないので、ファッション性にすぐれている。
【０００９】
また、本考案の電子部品内蔵バックルは、樹脂で成形してもよい。
樹脂製であれば、軽量であり、金属アレルギーの心配がない。
【００１０】
さらに、本考案の電子部品内蔵バックルは、発光体として、ＥＬ（エレクトロルミネッセンス）素子を用いることが望ましい。
これにより、安価、軽量、かつ安全なバックルを提供できる。なぜなら、ＥＬは、技術進歩により生産コストが低下しているとともに、消費電力が少ないので、電源部として小さい乾電池を使用することができ、しかも、熱の発生がわずかだからである。
また、ＥＬ、つまり電圧を加えて発光現象を起こす半導体には、いろいろな種類があり、本考案も、発光体としてＬＥＤ、ＥＬワイヤ、ＥＬシートなどを用いることができる。
なお、ＥＬワイヤとは、電圧を印加することで発光するワイヤ状のＥＬ素子をいう。ＥＬシートとは、薄膜状のＥＬ素子をいう。いずれも、柔らかいので曲げ加工が容易であるため、デザインの自由度に富むという長所がある。
【００１１】
前記の電子部品内蔵バックルを用いたペット用発光首輪、あるいは、人体の円筒状部位に巻回して用いたり、バッグ・靴類に用いたりする帯状部材に前記の電子部品内蔵バックルを取り付けた物品も、前記の目的を達するものである。
これにより、発光制御回路や電源部を収容する部品を別途取り付けた、従来の首輪やベルトなどと比べると、装着したときの違和感がなく、かつ、電池などが脱落したりするおそれがない。
【考案の効果】
【００１２】
発光体を点滅点灯させる電子部品をバックル内部に収容したことにより、衝撃が加わっても破損したり、電池などが脱落したりするおそれが減少する。そのうえ、発光ベルトを装着したときの違和感がない。また、電池などの収容部分が出っ張っていないので、見栄えがよい。さらに、発光体として、ＬＥＤ、ＥＬワイヤ、ＥＬシートなどを利用するのでデザインの多様性を実現できる。
【考案を実施するための最良の形態】
【００１３】
〔第１の実施の形態〕
図１〜図４を参照しながら、電子部品内蔵バックル１（以下「バックル１」）の構造を説明する。
【００１４】
バックル１は、第１連結部材２と第２連結部材３とから成る。
第１連結部材２の一方の端から突き出るように、係止部４を有する１対の係止片５が設けられている。係止片５は、弾性を帯び、外側端６同士を内側に押すと、係止片５は内側に撓む。
なお、第１連結部材２の他方の端部７には首輪のベルトの一端が固着される。
【００１５】
第２連結部材３は、第１連結部材２の１対の係止片５を抜き挿しできる第１収容スペース８を有し、その第１収容スペース８を囲む左右の壁側面９に、第１連結部材２の１対の係止片５の外側端６が露出する１対の窓孔１０を設ける。そして、窓孔１０の縁に係止片５の係止部４が係合する１対の被係止部１１を設ける。また、隔壁１２によって、第２連結部材３の内部は、第１収容スペース８と第２収容スペース１３とに区画される。
なお、第２収容スペース１３の開口した端部１４には首輪のベルトの他端が固着される。
【００１６】
以上の構成は、公知のバックルとほとんど相違はないが、本考案のバックル１では、第２連結部材３が、電子部品を内蔵するための第２収容スペース１３を設けている点に特徴がある。なお、第２収容スペース１３は、請求項１にいう「中空室」に相当する。
【００１７】
なお、第１連結部材２と第２連結部材３は、合成樹脂で成形すると軽量であり、金属アレルギーなどの心配がない。しかし、電子部品と接触するおそれのある第２収容スペース１３の内側以外はアルミなどの金属で成形してもよく、樹脂で成形して金属メッキを施してもよい。
【００１８】
このバックル１の使用の仕方は次のとおりである。すなわち、第１連結部材２の係止片５を第２連結部材３の第１収容スペース８内に挿入（図１の矢印Ｒ１の方向）すると、係止片５の係止部４が、第２連結部材３の被係止部１１に係合して第１連結部材２と第２連結部材３とが連結される。なお、図４に、第１連結部材２と第２連結部材３とが連結された状態を示すが、見易さのために第１連結部材２は破線で表示してある。
連結を解除するときは、次のようにする。すなわち、窓孔１０に露出した係止片５の外側端６を内側へ押すと係止片５が内側へ撓むので、係止部４と被係止部１１との係合が解除される。そして、第２連結部材３の第１収容スペース８から第１連結部材２の係止片５を引き抜く（図１の矢印Ｒ２の方向）ことによって、第１連結部材２と第２連結部材３との連結が解除される。
【００１９】
次は、図５、図６を参照しながら、本実施形態のペット用首輪１５について説明する。
ペット用首輪１５は、バックル１（見易さのため、図５では破線で表示してある）とベルト状の首輪本体１６とからなる。
首輪本体１６の長手方向の両端部には、１対でバックル１を構成する第１連結部材２と第２連結部材３とがそれぞれ取り付けられている。
なお、首周りの長さは固体差があるので、首輪本体１６の端部の少なくとも一方の側は、伸縮性を有する部材１７を介在させるとよい。
【００２０】
首輪本体１６の表面には、発光体１８を長手方向に配設する。この実施形態の発光体１８は、複数本のＥＬワイヤを捻って１本のケーブル状にしたものを、透明なチューブ１９の内側に入れて使用するものである。このように発光体を帯状に設けると、ペットがこの首輪１５を装着したときに、発光体１８をペットの身体の前後および左右方向へ向けて点灯又は点滅させることが出来る。
【００２１】
第２連結部材３の第２収容スペース１３には、基板２０が収容されており、この基板２０には、首輪本体１６に取り付けられている発光体１８に接続させる発光制御回路２０ａが搭載されている。この発光制御回路２０ａは、ＩＣ、コンデンサ、トランジスタ、抵抗等を組込んで構成されている。
基板２０の端部１４寄りには、端子２０ｂを設け、コネクタ接続あるいは半田付けなどの手段によって、発光体１８の配線との接続を可能としている。
第２連結部材３には、基板２０のほかに、発光制御回路２０ａを駆動するための図示しない電池を格納した電源部、発光制御回路２０ａをオン・オフするための図示しないスイッチも適宜な箇所に搭載されている。ただし、スイッチを設けずに、センサで周囲の明暗を判定し、暗くなったと判定されたときに発光制御回路２０ａが自動的にオンとなるような構成としてもよい。
なお、電池は、ボタン電池のような小型のもので足りる。本実施形態では、発光体としてＥＬワイヤを使用するが、ＥＬは消費電力が小さいからである。
【００２２】
首輪１５において、帯状の発光体１８に付随する配線２１は、基板２０の端子２０ｂに接続されている。ここで、電源部と接続されているスイッチがオンになると、電源部から発光制御回路２０ａを経て首輪本体１６の表側に取り付けられた発光体１８に電流が流れ、発光する。
【００２３】
ペットの首に装着して使用するときは、図６に示すように、バックル１の第１連結部材２と第２連結部材３とを連結させる。図９に例示するような従来品と比べ、電池などの収容部分が出っ張っていないので、ペットにとって違和感がないであろうし、ペットの飼い主は、その見栄えのよさに満足するであろう。また、電子部品を搭載した基板などは、第２連結部材３の第２収容スペース１３の内部に収容されているので脱落などのおそれがない。
【００２４】
〔第２の実施の形態〕
本実施の形態は、発光体としてＬＥＤを使用する点に特徴があり、その他の点では第１の実施の形態と同じである。図７は、この実施の形態であるペット用首輪の首輪本体２２を説明する図であるが、図１〜図５に示す第１の実施の形態と同一機能を有する要素には同一符号を付している。
【００２５】
首輪本体２２には、長手方向に１以上任意個数のＬＥＤ２３が配設されている。各ＬＥＤ２３の端子２４が接続する導電性ある配線２５は、基板２０の端子２０ｂと接続している。これにより、基板２０に搭載されている発光制御回路２０ａは、電源部に接続しているスイッチがオンになると、ＬＥＤ２３を点灯させたり点滅させたりできる。
なお、ベルト状の首輪本体２２は、２枚のベルト状部材２２ａと２２ｂとからなり、ベルト状部材２２ａと２２ｂとの当接面には、配線２５が設けられているとともに、首輪の表側にあたるベルト状部材２２ｂには、ＬＥＤ２３を挿入するための挿入孔２６が形成されている。
【００２６】
〔第３の実施の形態〕
本実施の形態は、発光体としてＥＬシートを使用する点に特徴があり、その他の点では第１の実施の形態と同じである。図８は、この実施の形態であるペット用首輪の首輪本体２７を説明する図であるが、図１〜図５に示す第１の実施の形態と同一機能を有する要素には同一符号を付している。
【００２７】
ベルト状の首輪本体２７は、首輪の表側にあたるフレキシブルなカバー部材２８の裏面に、ＥＬシート２９、電極３０と配線３１、さらに薄いフィルム状部材３２を積層して構成される。カバー部材２８の表面には、任意のデザインの模様３３が描かれている。
電極３０が接続する導電性ある配線３１は、基板２０の端子２０ｂと接続している。これにより、基板２０に搭載されている発光制御回路２０ａは、電源部に接続しているスイッチがオンになると、ＥＬシート２９を発光させるので、カバー部材２８の模様３３は背後から照らされることになる。ＥＬシート２９に複数の配線３１を設けることで、複数種類の色を異なるタイミングで発光させ、首輪本体２７の表側にある模様３３を美しく見せる、といったことができる。このように、デザインの自由度に富むので、ペットの安全だけではなく、ペットの飼い主が満足できるようなファッション性も実現できる。
【００２８】
前記した第１〜第３の実施の形態のいずれも、バックル部分にはしかるべき強度が必要であるが、首輪本体にも所定の強度が必要である。犬によっては、引っ張り癖のある犬があり、とっさの引き戻しなどによって一時的に強い力が加わる可能性があるからである。また、雨天でも使用できるように完全防水が望ましい。さらに、土や砂、ペットの毛が付着する可能性があるので、電子部品を収容した第２連結部材３の第２収容スペース１３は密閉可能なことが望ましい。
【００２９】
前記した第１〜第３の実施の形態では、本考案の電子部品内蔵バックルがペットの首輪に使用される場合について説明した。しかし首輪に限らず、ペットの胴に巻きつけるペット用胴輪に使用してもよい。
さらに、ペット用に限らず、人間の手首や腕、足首等の身体の円筒状部に巻回装着されるベルトの両端を連結するために本考案の電子部品内蔵バックルを使用してもよい。
【００３０】
〔第４の実施の形態〕
バックル１の使用は、ペットの首や胴、人間の手首や腕等に巻回装着されるベルト類に限定されるものではない。適宜かばん、靴、帽子などの身の回り品に使用されるベルト状部分を連結するために、バックル１が使用されてもよい。
例えば、ランドセルの肩ベルト、ジョギング用シューズの靴紐、ヘルメットの紐などに発光体を取り付け、バックル１を用いて発光を制御すれば、薄暗い雨天の日、夕暮れ以降の時間帯などの外出を安全にする。
【００３１】
また、ラフティング・マリンジェットなどのマリンスポーツや、スキー・スノーボードなどのウィンタースポーツにおいて使用することもできる。
さらに、用途によっては、様々なレベルの耐圧性、耐水性、耐久性などが要求され、粉塵や砂などが内部に入らない構造としなければならないことは言うまでもない。
【００３２】
なお、前記のように開示された実施の形態はすべての点で例示であって、制限的なものではない。したがって、種々の変形が可能である。しかし、その変形が実用新案登録請求の範囲に記載された技術思想に基づくものである限り、その変形は本考案の技術的範囲に含まれる。
【産業上の利用可能性】
【００３３】
ペットや人間が身につける発光性ベルト状物品に用いることで、安全性とファッション性とを両立させることができる。
【図面の簡単な説明】
【００３４】
【図１】実施形態の電子部品内蔵バックル全体の斜視図である。
【図２】実施形態の電子部品内蔵バックルの側面図である。
【図３】実施形態の第２連結部材の、図２のＡ−Ａ’断面図である。
【図４】実施形態の電子部品内蔵バックルの連結状態を説明する図である。
【図５】第１の実施形態のペット用首輪に取り付けられている発光体と電子部品搭載基板との接続を説明する図である。
【図６】第１の実施形態のペット用首輪の全体図である。
【図７】第２の実施形態のペット用首輪に取り付けられている発光体と電子部品搭載基板との接続を説明する図である。
【図８】第３の実施形態のペット用首輪に取り付けられている発光体と電子部品搭載基板との接続を説明する図である。
【図９】従来のペット用首輪を説明する図である。
【符号の説明】
【００３５】
１  電子部品内蔵バックル
２  第１連結部材
３  第２連結部材
１３  中空室
１５  ペット用首輪
１６  （第１の実施形態の）ペット用首輪本体
１８  （第１の実施形態の）発光体
２０  基板
２０ａ  発光制御回路
２２  （第２の実施形態の）ペット用首輪本体
２３  （第２の実施形態の）発光体
２７  （第３の実施形態の）ペット用首輪本体
２９  （第３の実施形態の）発光体
【図１】
0003131027.tif 000003
【図２】
0003131027.tif 000004
【図３】
0003131027.tif 000005
【図４】
0003131027.tif 000006
【図５】
0003131027.tif 000007
【図６】
0003131027.tif 000008
【図７】
0003131027.tif 000009
【図８】
0003131027.tif 000010
【図９】
0003131027.tif 000011